(57)【要約】  口金受容部（３１）の周辺部に各端子部（４０ａ〜４２ａ）を配設してソケット（６）を構成し、ランプユニット（７）の装置本体（５）側への装着時には、筐体（５０）の基部側に突設した口金（５６）を口金受容部（３１）に係止させると共に、口金（５６）の周辺部に配設した各端子ピン（５７〜５９）を対応する各端子部（４０ａ〜４２ａ）とそれぞれ電気的に接続する構成を採用する。これにより、簡単な構成で、ランプユニット（７）の装置本体（５）側への電気的な接続を的確に実現することができる。
2012005244.tif 000002
【特許請求の範囲】
【請求項１】
ランプユニットから突出する口金を受容する口金受容部と；
前記口金受容部の内周面において周方向に延在され、前記口金が前記口金受容部に受容されて当該口金受容部と相対回転された際に、前記口金の外周面から突出する係合用突起を終端部に係止するキー溝と；
前記係合用突起とは独立して前記ランプユニットから前記口金の回転軸方向にそれぞれ突出する電源用及び接地用の各端子ピンをそれぞれ収容して電気接続する各収容部と；を具備したことを特徴とするソケット。
【請求項２】
前記各収容部を、前記口金受容部が開口するソケット本体に形成されたリング状の外向フランジ部に設けられた端子部材で構成したことを特徴とする請求項１記載のソケット。
【請求項３】
前記電源用の端子ピンを収容する前記収容部を、前記口金受容部が開口するソケット本体に形成されたリング状の外向フランジ部に設けられた端子部材で構成し；
前記接地用の端子ピンを収容する前記収容部を、前記口金受容部と兼用したことを特徴とする請求項１記載のソケット。
【請求項４】
前記電源用の端子ピンを収容する前記収容部と、前記係合用突起とは独立して前記ランプユニットから前記口金の回転軸方向に突出する信号用の端子ピンを収容して電気的に接続する収容部とを、前記口金受容部が開口するソケット本体に形成されたリング状の外向フランジ部に設けられた端子部材で構成し；
前記端子部材は、前記外向フランジ部に設けられる端子ケースと、前記端子ケースに収容され前記端子ピンが接続される端子板とを有し；
前記端子部材に接続された電線が、前記外向フランジ部において隣接する他の前記端子部材の前記端子ケースの上面に沿って導出されることを特徴とする請求項１記載のソケット。
【請求項５】
前記電線は、前記端子ケースから突出する電線ガイド片と、前記口金受容部の外周面を形成する前記ソケット本体の側壁との間に挟持されていることを特徴とする請求項４記載のソケット。
【請求項６】
少なくとも前記電源用の端子ピンを収容する前記収容部は、前記口金の係合用突起が前記キー溝の終端部に係止する係合動作が終了してから前記端子ピンと電気接続することを特徴とする請求項１記載のソケット。
【請求項７】
前記キー溝の入口に前記係合用突起が乗り越えることが可能な係止突起を形成し、前記係合用突起は前記係止突起を乗り越えてから前記収容部の電気接続がなされるようにしたことを特徴とする請求項６記載のソケット。
【請求項８】
請求項１乃至請求項７の何れか１項に記載のソケットと；
前記ソケットを支持する装置本体と；を具備したことを特徴とするソケットアセンブリ。
【請求項９】
前記装置本体は、前記ソケットを押圧方向の付勢力を有して弾性的に支持するとともに、ランプユニットの口金の外周面から突出する係合用突起が前記キー溝の終端部に係止された際に当該口金の突端部が前記ソケットの付勢力によって弾性的に押し当てられる放熱体を具備することを特徴とするソケットアセンブリ。
【請求項１０】
請求項１乃至請求項７の何れか１項に記載のソケットと；
前記ソケットを支持する装置本体と；
前記ソケットの口金受容部内に係止される口金を有するランプユニットと；を具備することを特徴とする照明装置。
【発明の詳細な説明】
【技術分野】
【０００１】
本発明は、口金付のランプユニットが着脱可能に装着される照明装置のソケット、ソケットアセンブリ、及び、照明装置に関する。
【背景技術】
【０００２】
近年、照明装置用のランプユニットにおいては、光源としてＬＥＤ等の発光素子が広く採用される傾向にある。この種のランプユニットを装置本体側に装着するための構造としては、例えば、口金から突設した一対の電源用端子ピンをソケットに設けた各キー溝に挿入し、ランプユニットを回転させながらキー溝の終端部に電源用端子ピンを係止させることにより、ソケットに対するランプユニットの支持と電気的な接続とを同時に実現する技術が広く知られている。【０００３】
ここで、ＬＥＤ等の発光素子は、一般に、温度が上昇するに従って光出力が低下すると共に寿命が短縮されるという特性を有する。そこで、ＬＥＤを光源とするランプユニットの熱対策に関する技術として、例えば、日本国特開２０１０−１２９４８８号公報には、ランプユニットの筐体を熱伝導性の良好なアルミニウム合金等の金属で構成し、この筐体の基部側に突設した口金を、ソケットとの係止時に装置本体側に押し当てて熱伝導可能に接触させる技術が知られている。【０００４】
しかしながら、上述のように口金を装置本体に押し当てる構成を採用した場合、電源供給用ピンはソケット側からの過大な応力を受けることとなる。従って、電源供給用ピン等に対する強度を十分に確保する必要が生じ、照明装置の構造が複雑化する等の虞がある。【０００５】
ところで、この種の照明装置においては、ランプユニットの接地を要求される場合がある。例えば、上述のようにランプユニットの筐体をアルミニウム合金等の金属で構成した場合、ランプユニットに内蔵された点灯回路等にノイズが発生し易くなることが知られており、その対策として、ランプユニットの接地を要求される場合がある。また、例えば、内蔵される点灯回路上の各デバイスに対する沿面距離を確保することへの要請等から、ランプユニットの接地を要求される場合がある。【０００６】
しかしながら、この種の照明装置においては、ランプユニットを有効に接地させるための具体的な構成についての提案がされていなかった。これに対処し、例えば、上述の電源用端子ピンと同様に、ランプユニットの支持機能を兼ねた接地用端子ピン等を追加することも考えられるが、このような場合、接地用端子ピンについても十分な強度を確保する必要が生じ、構造がより複雑化する等の虞がある。【０００７】
本発明は、簡単な構成で、ランプユニットとの電気的な接続を実現することができるソケット、ソケットアセンブリ、及び、照明装置を提供することを目的とする。
【発明の開示】
【課題を解決するための手段】
【０００８】
本発明の一態様によるソケットは、ランプユニットから突出する口金を受容する口金受容部と；前記口金受容部の内周面において周方向に延在され、前記口金が前記口金受容部に受容されて当該口金受容部と相対回転された際に、前記口金の外周面から突出する係合用突起を終端部に係止するキー溝と；前記係合用突起とは独立して前記ランプユニットから前記口金の回転軸方向にそれぞれ突出する電源用及び接地用の各端子ピンをそれぞれ収容して電気接続する各収容部と；を具備する。【０００９】
また、本発明の一態様によるソケットアセンブリは、前記ソケットと、前記ソケットを支持する装置本体と；を具備する。【００１０】
また、本発明の一態様による照明装置は、前記ソケットと；前記ソケットを支持する装置本体と；前記ソケットの口金受容部内に係止される口金を有するランプユニットと；を具備する。
【図面の簡単な説明】
【００１１】
【図１】発明の第１の実施形態に係わり、照明装置の分解斜視図
【図２】同上、照明装置の断面図
【図３】同上、ソケットからランプユニットを分離して示す側面図
【図４】同上、ソケットをランプユニット側から見た平面図
【図５】同上、ソケットを放熱部材側から見た平面図
【図６】同上、図２のVI−VI線に沿う断面図
【図７】同上、ランプユニットを口金側から見た平面図
【図８】同上、照明装置の回路構成図
【図９Ａ】同上、ランプユニット係合開始時のソケットと放熱部材との関係を示す説明図
【図９Ｂ】同上、ランプユニット係止時のソケットと放熱部材との関係を示す説明図
【図１０Ａ】同上、ランプユニット係合開始時の端子ピンと端子部との関係を示す説明図
【図１０Ｂ】同上、ランプユニット係止時の端子ピンと端子部との関係を示す説明図
【図１１】同上、放熱部材に固設した各端子台を示す斜視図
【図１２】本発明の第２の実施形態に係わり、照明装置の断面図
【図１３Ａ】同上、ランプユニット係合開始時のアース用端子ピンと放熱部材との関係を示す説明図
【図１３Ｂ】同上、ランプユニット係止時のアース用端子ピンと放熱部材との関係を示す説明図
【図１４Ａ】本発明の第３の実施形態に係わり、口金付ランプの斜視図
【図１４Ｂ】同上、図１５のｂ−ｂ線に沿う断面斜視図
【図１４Ｃ】同上、信号用口金部材を取り出して示す断面図
【図１５】同上、口金付ランプを、カバー部材を取り外して示す上面図
【図１６】同上、口金付ランプの底面図
【図１７】同上、口金付ランプにおける制御装置の回路ブロック図
【図１８Ａ】同上、ソケット装置の正面図
【図１８Ｂ】同上、ソケット装置の側面図
【図１９Ａ】同上、ソケット装置を表面側から見た斜視図
【図１９Ｂ】同上、係合手段を拡大してソケット装置を示す正面図
【図２０】同上、ソケット装置を裏面側から見た斜視図
【図２１Ａ】同上、口金付ランプおよびソケット装置における係合手段の作動と支持部材および電気接続の状態を模式的に示した図であって、係合手段が係合した状態を示す図
【図２１Ｂ】同上、口金付ランプおよびソケット装置における係合手段の作動と支持部材および電気接続の状態を模式的に示した図であって、係合手段が係合していない状態を示す図
【図２２Ａ】同上、ソケット装置における端子板を示し、端子板が端子ケースに収容された状態を示す斜視図
【図２２Ｂ】同上、ソケット装置における端子板を示し、端子板の斜視図
【図２３】同上、口金付ランプをソケット装置に装着する状態を示す斜視図
【図２４Ａ】同上、口金付ランプをソケット装置に装着する状態を示し、ソケット装置の表面図
【図２４Ｂ】同上、口金付ランプをソケット装置に装着する状態を示し、口金部材の裏面図
【図２５Ａ】同上、口金付ランプをソケット装置に装着した照明器具を示し、ダウンライトを天井に設置した状態を示す断面図
【図２５Ｂ】同上、口金付ランプをソケット装置に装着した照明器具を示し、図２５Ａの口金付ランプおよびソケット装置を切断して示す断面斜視図
【発明を実施するための最良の形態】
【００１２】
以下、図面を参照して本発明の実施の形態について説明する。【００１３】
［第１の実施の形態］
図１乃至図は本発明の第１の実施形態に係わり、図１は照明装置の分解斜視図、図２は照明装置の断面図、図３はソケットからランプユニットを分離して示す側面図、図４はソケットをランプユニット側から見た平面図、図５はソケットを放熱部材側から見た平面図、図６は図２のVI−VI線に沿う断面図、図７はランプユニットを口金側から見た平面図、図８は照明装置の回路構成図、図９Ａはランプユニット係合開始時のソケットと放熱部材との関係を示す説明図、図９Ｂはランプユニット係止時のソケットと放熱部材との関係を示す説明図、図１０Ａはランプユニット係合開始時の端子ピンと端子部との関係を示す説明図、図１０Ｂはランプユニット係止時の端子ピンと端子部との関係を示す説明図、図１１は放熱部材に固設した各端子台を示す斜視図である。【００１４】
図１，２に示す照明装置１は、例えば、ダウンライト等に好適な照明装置であり、装置本体５と、この装置本体５に支持されたとソケット６と、ソケット６を介して装置本体５に着脱可能に装着されるランプユニット７とを有して構成されている。なお、第１，第２の実施形態の説明において、これらの上下方向等については、照明装置１をダウンライトとして取り付けた状態を基準として適宜説明する。【００１５】
装置本体５は、例えば、ランプユニット７の周部を囲繞するリフレクタ部材１０と（図２参照）、このリフレクタ部材１０の上部に固設された放熱体１１と、を有して構成されている。【００１６】
リフレクタ部材１０は、例えば、上方から下方に拡開するテーパー状の板金部材で構成され、内周面に反射面１０ａを有する。このリフレクタ部材の下端部には外向フランジ部１０ｂが設けられ、この外向フランジ部１０ｂを介して、リフレクタ部材１０を屋内の天井等に取り付けることが可能となっている。また、リフレクタ部材１０の上部には、例えば、円筒状の放熱体支持部１０ｃが設けられ、この放熱体支持部１０ｃには、放熱体１１がネジ止め等によって固設されている。【００１７】
放熱体１１は、例えば、放熱体支持部１０ｃに固設する略円盤状の放熱体本体１１ａと、この放熱体本体１１ａの上面から突出する複数の放熱フィン１１ｂとを有し、これらは熱伝導性の良好なアルミニウム合金等の金属によって一体形成されている。【００１８】
また、放熱体１１には、例えば、放熱フィン１１ｂの一部を切り欠くことによって端子台取付部１１ｃが形成されている。さらに、放熱体１１には、放熱体本体１１ａの一部を切り欠くことによって配線用溝１１ｄが形成され、この配線用溝１１ｄを介して、放熱体本体１１ａの上面側（端子台取付部１１ｃ側）と底面側とが連通されている。【００１９】
図１１に示すように、端子台取付部１１ｃには、例えば、電源供給用の端子台１２と、制御信号用の端子台１３と、接地用の端子台１４とがネジ止め等によって固設されている。これら各端子台１２〜１４は、それぞれ内部配線用端子１２ａ〜１４ａと外部配線用端子１２ｂ〜１４ｂとを有する。各端子台１２〜１４の内部において、内部配線用端子１２ａ〜１４ａには、配線用溝１１ｄを介してソケット６側から配索された各内部配線１５〜１７が電気的に接続されている。【００２０】
ここで、図８に示すように、電源供給用の端子台１２の内部配線用端子１２ａには、例えば、交流電源２０に接続する外部配線２２のコネクタ２２ａが接続可能となっている。また、制御信号用端子台１３の内部配線用端子１３ａには、例えば、調光操作部２１に接続する外部配線２３のコネクタ２３ａが接続可能となっている。さらに、接地用の端子台１４の内部配線用端子１４ａには、グランドされた外部配線２４のコネクタ２４ａが接続可能となっている。そして、これらのコネクタ接続を通じて、各外部配線２２〜２４が、対応する各内部配線１５〜１７と電気的に接続される。【００２１】
一方、各外部配線用端子１２ｂ〜１４ｂには、図示しない各中継用配線のコネクタが接続可能となっており、これら各中継用配線を介して、照明装置１を図示しない他の照明装置等と電気的に接続することが可能となっている。【００２２】
例えば、図１〜３，４，５，９に示すように、ソケット６は、略円筒形状をなす口金受容部３１と、この口金受容部３１の下端部（先端部）に連設する外向フランジ部３２と、が耐熱性樹脂等によって一体形成されたソケット本体３０を有する。【００２３】
口金受容部３１の内周面には、例えば、周方向に延在する３つのキー溝３１ａが等間隔毎（例えば、口金受容部３１の中心軸Ｏ周り１２０°毎の等間隔）にそれぞれ凹設されている。これらのキー溝３１ａの一端側に設定された始端部には、当該キー溝３１ａを口金受容部３１の先端部側に開放する連通溝３１ｂが設けられている。また、キー溝３１ａには、当該キー溝３１ａの内側に突出する係止段部３１ｃが、連通溝３１ｂに隣接して設けられている。【００２４】
また、外向フランジ部３２には、上方に突出する袋状をなす３つのスプリング収容部３３が等間隔毎（例えば、口金受容部３１の中心軸Ｏ周りに１２０°毎の等間）にそれぞれ設けられている。スプリング収容部３３の頂部はネジ止め用の座部３３ａとして設定され、この座部３３ａを外向フランジ部３２の底面側から貫通するネジ３４が、放熱体本体１１ａの底面に締結されている。その際、スプリング収容部３３内に収容されたスプリング３５がネジ３４の頭部３４ａと座部３３ａとの間に挟持されることにより、ソケット６（ソケット本体３０）は、放熱体１１に対し、押圧方向の付勢力を有して弾性的に支持されている。なお、ランプユニット７をソケット６に装着（後述する）した際にスプリング３５の付勢力によってソケット本体３０に撓み等が発生することを防止するため、各スプリング収容部３３は各キー溝３１ａの終端部の近傍に配設されることが望ましい。【００２５】
また、例えば、図４に示すように、外向フランジ部３２の上面には、各スプリング収容部３３（放熱体本体１１ａとの各締結部）で区画された各領域に、それぞれ、電源用端子部４０ａを収容する一対の端子ボックス４０、制御信号用端子部４１ａを収容する一対の端子ボックス４１、及び、接地用端子部４２ａを収容する端子ボックス４２が固設されている。そして、各端子ボックス４０〜４２に収容された各端子部４０ａ〜４２ａは、各内部配線１５〜１７を介して、対応する各端子台１３〜１４の内部配線端子１２ａ〜１４ａと電気的に接続されている。【００２６】
さらに、例えば、図４に示すように、外向フランジ部３２には、各端子ボックス４０〜４２にそれぞれ対応する位置に、口金受容部３１の中心軸Ｏと同心の円弧状をなすピン溝４５〜４７が設けられている。そして、これら各ピン溝４５〜４７を介して、各端子ボックス４０〜４２は外部と連通されている。【００２７】
ランプユニット７は、下端側（先端側）に開口部５０ａを有する筐体５０と、この筐体５０内に保持される光源モジュール５１及び点灯回路モジュール５２と、筐体５０の開口部５０ａを閉塞するグローブ５３とを有して構成されている。【００２８】
筐体５０は、下端側に開口部５０ａが開口する有頂の円筒部５５と、この円筒部５５の基部側に形成された頂部５５ａから突設する口金５６とを有し、これらは、例えば、熱伝導性の良好なアルミニウム合金等の金属によって一体形成されている。すなわち、本実施形態において、筐体５０は、円筒部５５と、この円筒部５５よりも小径の略円筒形状をなす口金５６とが一体に連設された段付の略円筒部材で構成されている。【００２９】
ここで、例えば、図３に示すように、口金５６の高さｈ２は、ソケット６の口金受容部３１の高さｈ１よりも高く（すなわち、ｈ２＞ｈ１）設定されている。【００３０】
口金５６の外周面には、口金受容部３１の内周面に形成されたキー溝３１ａに対応する３つの係合用突起５６ａが等間隔毎（例えば、口金５６の中心軸Ｏ周りに１２０°毎の等間隔）にそれぞれ突設されている。【００３１】
また、円筒部５５の頂部５５ａからは、ソケット６側の各端子部４０ａ〜４２ａに対応して各ピン溝４５〜４７に挿入可能な、一対の電源用端子ピン５７、一対の制御信号用端子ピン５８、及び、接地用端子ピン５９が、口金５６の中心軸Ｏ方向に沿って突設されている。【００３２】
図７に示すように、これら各端子ピン５７〜５９のうち、電源用端子ピン５７及び制御信号用端子ピン５８は、絶縁体５７ａ，５８ａを介して、円筒部５５の頂部５５ａに立設されている。一方、接地用端子ピン５９は、頂部５５ａに対して直接的に立設され、筐体５０との電気的な接続が採られている。【００３３】
図６に示すように、光源モジュール５１は、ＬＥＤ実装基板６１上に、発光素子である面実装型の発光ダイオード（ＬＥＤ）６２が、光源として複数個実装されて要部が構成されている。具体的に説明すると、ＬＥＤ実装基板６１は、例えば、熱伝導性の良好なアルミニウム基板等からなる略円板状の部材で構成されている。そして、このＬＥＤ実装基板６１上には、例えば、６個のＬＥＤ６２が、等間隔毎に実装されている。なお、図２に示すように、この光源モジュール５１は、筐体５０内の開口部５０ａ近傍に設けられた段部５０ｂに係止され、ネジ止め等によって固設されている。【００３４】
図２，８に示すように、点灯回路モジュール５２は、略円板状の回路基板６５上に形成された、点灯回路６６と、制御回路６７とを有する。【００３５】
点灯回路６６の入力側には電源用端子ピン５７を介して交流電源２０が接続され、出力側には光源モジュール５１が接続されている。この点灯回路６６は、例えば、全波整流回路、リップル電流平滑用のコンデンサ、スイッチングトランジスタ、スイッチングトランス、整流平滑回路等（何れも図示せず）を含んで構成されている。そして、点灯回路６６は、交流電源２０から供給される交流電力を所定の直流出力に変換して光源モジュール５１に出力する。【００３６】
制御回路６７には、制御信号用端子ピン５８を介して調光操作部２１が接続されている。この制御回路６７は、例えば、比較器、基準信号出力部等（何れも図示せず）を含んで構成されている。そして、制御回路６７は、例えば、点灯回路６６における負荷電圧と、調光操作部２１からの信号に基づく基準信号とを比較し、この比較結果に基づいて点灯回路６６のスイッチングトランジスタをオンオフさせることにより、点灯回路６６から光源モジュール５１に供給される出力を制御する。【００３７】
なお、図２に示すように、点灯回路モジュール５２は、筐体５０内において、例えば、光源モジュール５１よりも上方（基部側）に、絶縁性及び断熱性を有するスペーサ６８を介して配置されている。【００３８】
グローブ５３は、透光性を有する透明或いは光拡散性を有するガラスや合成樹脂により構成されている。【００３９】
このような構成の照明装置１において、ランプユニット７を装置本体５側に装着する際は、先ず、各キー溝３１ａの連通溝３１ｂに対して各係合用突起５６ａを位置決めしながら、口金受容部３１に口金５６が挿入される。【００４０】
これにより、例えば、図９Ａに示すように、各係合用突起５６ａは、各連通溝３１ｂを通じてキー溝３１ａの始端側に導かれる。同時に、例えば、図１０Ａに示すように、各ピン溝４５〜４７の始端側には、対応する各端子ピン５７〜５９が挿入される。【００４１】
次に、ソケット６の口金受容部３１に対して、ランプユニット７の口金５６が相対回転されると、各係合用突起５６ａは、係止段部３１ｃを乗り越えてキー溝３１ａの終端部に導かれる（図９Ｂ参照）。そして、係止段部３１ｃに係合用突起５６ａが係止されることにより、口金５６は口金受容部３１内で係止（嵌合）される。同時に、例えば、図１０Ｂに示すように、各端子ピン５７〜５９は、各ピン溝４５〜４７の終端側まで移動され、対応する各端子部４０ａ〜４２ａと電気的に接続される。【００４２】
このように口金５６が口金受容部３１内で係止される過程において、口金５６の高さｈ２が口金受容部３１の高さｈ１よりも高いことから、先ず、口金５６の突端部が放熱体本体１１ａの底面に当接される。次に、各係合用突起５６ａが係止段部３１ｃを乗り越えてキー溝３１ａの終端側に導かれると、係合用突起５６ａとキー溝３１ａとの間には、外向フランジ部３２の下端面からキー溝３１ａまでの高低差に基づく応力が発生する。この応力により、ソケット６がランプユニット７側に引き寄せられて放熱体本体１１ａから離間され、さらに、各スプリング３５が圧縮側に弾性変形される（図９Ｂ参照）。そして、このスプリング３５の弾性変形による付勢力がソケット６を介してランプユニット７側に伝達されることにより、口金５６の突端部は放熱体本体１１ａの底面に弾性的に押し付けられる。これにより、ランプユニット７の筐体５０と放熱体１１とが熱的に接続され、各ＬＥＤ６２で発生した熱を、ＬＥＤ実装基板６１から筐体５０を介して放熱体１１に伝達する放熱経路が形成される。【００４３】
このような実施形態によれば、口金受容部３１の周辺部に各端子部４０ａ〜４２ａを配設してソケット６を構成し、ランプユニット７の装置本体５側への装着時には、筐体５０の基部側に突設した口金５６を口金受容部３１に係止させると共に、口金５６の周辺部に配設した各端子ピン５７〜５９を対応する各端子部４０ａ〜４２ａとそれぞれ電気的に接続する構成を採用することにより、簡単な構成で、ランプユニット７の装置本体５側への電気的な接続を的確に実現することができる。【００４４】
すなわち、口金受容部３１に対する口金５６の係止構造とは別に、ランプユニット７のソケット６側に対する電気的な接続構造を別途設けることにより、各端子ピン５７〜５９等は、口金受容部３１に対して口金５６が係止された際の応力等による影響を受けにくい構成となり、簡単な構成でランプユニット７の装置本体５側への電気的な接続を実現することができる。特に、各端子ピン５７〜５９のソケット６に対する挿入方向は、口金受容部３１と口金５６との係止時の応力が作用する方向（すなわち、中心軸Ｏの方向）と同方向に設定されているため、係止時の応力の影響をほとんど受けることがなく、各端子ピン５７〜５９を過剰に補強する等の対策を回避することができる。【００４５】
この場合において、電源用端子部４０ａ等に加えて接地用端子部４２ａをソケット６上の口金受容部３１の周辺部に配設し、同様に、電源用端子ピン５７等に加えて接地用端子ピン５９をランプユニット７の筐体５０上の口金５６の周辺部に配置することにより、ランプユニット７の接地についても簡単な構成で的確に実現することができる。従って、点灯回路６６等に対するノイズ対策や、各デバイスに対する沿面距離対策等を容易に実現することができる。【００４６】
［第２の実施の形態］
図１２，１３は本発明の第２の実施形態に係わり、図１２は照明装置の断面図、図１３Ａはランプユニット係合開始時のアース用端子ピンと放熱部材との関係を示す説明図であって（ｂ）はランプユニット係止時のアース用端子ピンと放熱部材との関係を示す説明図である。なお、本実施形態においては、ランプユニットの接地の方式が上述の第１の実施形態に対して主として異なる。その他、上述の第１の実施形態と同様の構成については、同符号を付して説明を省略する。【００４７】
本実施形態において、口金５６の突端部には、ピン孔５６ｂが穿設され、このピン孔５６ｂには、筐体５０側と電気的に接続された接地用端子ピン７０が進退移動可能に挿通されている。また、口金５６の内部には、ピン孔５６ｂに対応するケース部７１が固設され、このケース部７１と接地用端子ピン７０との間には、接地用端子ピン７０を筐体５０の基部側に付勢するスプリング７２が介装されている。【００４８】
ここで、図示のように、ピン孔５６ｂから突出する接地用端子ピン７０の端部は、先細り形状に形成されていることが望ましい。【００４９】
また、図示しないが、接地用の端子台１４の内部配線端子１４ａは、放熱体１１に対して電気的に接続されている。【００５０】
このような構成において、図１３Ａ、図１３Ｂに示すように、口金受容部３１に対する口金５６の係止時に、口金５６の突端部が放熱体本体１１ａの底面に弾性的に押し当てられることに伴い、接地用端子ピン７０は放熱体本体１１ａの底面に弾性的に押し当てられて電気的に接続される。この場合において、接地用端子ピン７０の端部を先細り形状に形成することにより、放熱体本体１１ａに押し当てられる際の応力を集中させることができ、例えば、放熱体１１がアルミニウム合金等である場合にも、表面に形成される酸化膜等の絶縁層を貫通して、接地用端子ピン７０を放熱体本体１１ａに対して的確に電気接続することができる。【００５１】
なお、上述の各実施形態に示した照明装置１は、ユーザ等による調光機能を持たない照明装置にも適用が可能であり、この場合、調光操作部２１、制御信号用端子部４１ａ、制御信号用端子ピン５８等の各構成を適宜省略することが可能である。【００５２】
［第３の実施の形態］
次に、図１４Ａ乃至図２５Ｂを参照して、本発明の第３の実施形態について説明する。なお、本実施形態における各部材等と、上述の第１，第２の実施形態における各部材等との対応は、概略次の通りである。すなわち、後述の照明器具１３０は上述の照明装置１に、後述の器具本体１３２，反射体１３３，及び放熱体１３４が上述の装置本体５に、後述のソケット装置１２０が上述のソケット６に、後述の口金付ランプ１１０が上述のランプユニット７に、後述の放熱体１３４が上述の放熱体１１に、後述のソケット本体１２１が上述のソケット本体３０に、後述の支持孔１２１ａが上述の口金受容部３１に、後述の係合手段１２１ａ１が上述のキー溝３１ａに、後述の係止突起１２１ａ４が上述の係止段部３１ｃに、後述の端子ケース１２３ａが上述の端子ボックス４０に、後述の端子板１２２ｂが上述の電源用端子部４０ａに、後述の端子ケース１２３ａが上述の端子ボックス４１に、後述の端子板１２２ｂが上述の制御信号用端子部４１ａに、後述の長孔１２２ａ２が上述のピン溝４５，４６に、後述の凹嵌部１１１ｅが上述の口金５６に、後述の係合突起１１１ｆが上述の係合用突起５６ａに、後述の電源用口金部材１１４が上述の電源用端子ピン５７に、後述の信号用口金部材１１５が上述の制御信号用端子ピン５８にそれぞれ略対応する。【００５３】
先ず、本実施形態のソケット装置に装着される口金付ランプの構成につき説明する。本実施形態の口金付ランプは、ピン形式の口金部材が設けられたフラットな薄形構造の口金付ランプ１１０を構成するもので、図１４Ａ〜図１７に示すように、ソケット装置に対し回動操作によって着脱可能に装着される係合手段１１１ｆを有するランプ本体１１１、ランプ本体に配設される発光部１１２、ランプ本体に配設され発光部を点灯制御する制御装置１１３、係合手段を間にした一側方に隣接して位置しランプ本体の円の軌跡上に配設され制御装置１１３に接続される電源用口金部材１１４、係合手段を間にした他側方に隣接して位置しランプ本体の円の軌跡上に配設され制御装置１１３に接続される信号用口金部材１１５で構成する。【００５４】
ランプ本体１１１は、放熱性を高めるために熱伝導性の良好な金属、本実施形態では、アルミニウムで構成された横断面の平面形状が略円形の皿形をなし、一端部側の開口部１１１ａには、円形の凹段部からなる基板支持部１１１ｂが一体に形成される。基板支持部は、その凹段部の底面が平坦な面になるように形成され、周囲にリング状をなす凸条部１１１ｃが一体に形成される。また、ランプ本体１１１の他端部側は外底面に環状の支持段部１１１ｄが形成されるように凹嵌部１１１ｅが突出されて一体に形成される。凹嵌部１１１ｅの外底面は、器具側の放熱体に対し熱的に密着して支持するために平坦な面に形成される。【００５５】
凹嵌部１１１ｅの外周面には、係合手段１１１ｆを形成する。係合手段は、後述する本実施形態のソケット装置１２０に設けられる係合手段１２１ａ１に対し着脱可能に装着するための手段で、本実施形態では、口金付ランプ１１０の係合手段を凹嵌部１１１ｅの外周面に係合突起を一体に突出させることにより構成した。（以下、口金付ランプの係合手段１１１ｆを「係合突起１１１ｆ」と称す）。【００５６】
係合突起１１１ｆは、図１６に示すように、ランプ本体１１１の中心ｏから直径方向に１２０°の角度をもった凹嵌部１１１ｅにおける外周面に対し、均等の間隔を有して３個が形成され、各係合突起１１１ｆは略正方形をなす同一の形状をなしている。これら構成のランプ本体１１１は、例えば、鋳造、鍛造または切削加工等で加工される。本実施形態では、アルミダイカストで構成した。【００５７】
発光部１１２は、固体発光素子１１２ａと固体発光素子を実装した基板１１２ｂからなる。固体発光素子は、本実施形態では発光ダイオード（以下「ＬＥＤ１１２ａ」と称す）で構成し、複数個、本実施形態では６個のＳＭＤタイプのＬＥＤからなる。なお、ＬＥＤとしては、複数個のＬＥＤチップおよびこのＬＥＤチップにより励起される蛍光体により白色（昼白色、昼光色、電球色を含む）を発光するタイプのいわゆるＣＯＢ形であってもよい。【００５８】
基板１１２ｂは、熱伝導性の良好な金属、本実施形態では平板状の薄い円形の板状をなすアルミニウムで構成され、その表面（図１４Ｂ）中の上面）にシリコーン樹脂等の電気絶縁層を介して銅箔からなる配線パターンが形成され、この配線パターン上に６個の各ＬＥＤ１１２ａが略同心円状をなすように略等間隔に配設されて実装される（図１５）。これにより円形で板状をなす基板１１２ｂに、６個のＬＥＤ１１２ａが円形基板の中心に対して略点対称となるように配設された発光モジュールからなる発光部１１２が構成される。【００５９】
上記に構成された発光部１１２は、本体１１１の一端部側に形成された基板支持部１１１ｂに電気絶縁を図り、かつ密着されるように配設され、また、必要に応じてシリコーン樹脂等で構成された電気絶縁シート等（図示せず）を介して、平坦な面をなす基板支持部１１１ｂの底面にネジ等の固定手段１１２ｃを用い密着して固定する。【００６０】
これにより、ランプ本体１１１の一端部側に発光部１１２が配設されると共に、基板１１２ｂの裏面がランプ本体１１１の基板支持部１１１ｂに確実に密着され、基板１１２ｂが熱伝導性の良好なアルミニウムで構成されていることと相まって、ＬＥＤ１１２ａから発生する熱を効果的にアルミニウムからなるランプ本体１１１に伝達し放熱させることができる。上記構成により、６個のＬＥＤ１１２ａを実装した基板１１２ｂからなる発光部１１２の光軸ｙ−ｙが、ランプ本体１１１の中心軸ｘ−ｘに略合致し、全体として上面視で略円形の発光面を有する光源部が構成される。【００６１】
制御装置１１３は、図１７の回路ブロック図に示すように、交流電圧１００Ｖを直流電圧２４Ｖに変換してＬＥＤ１１２ａに定電流の直流電流を供給する点灯回路１１３ａと、外部からの制御信号により発光部１１２を点灯・消灯・調光・調色等、本実施形態では、点灯・消灯、調光を行う制御回路１１３ｂで構成する。これら点灯回路１１３ａおよび制御回路１１３ｂを構成する電子部品１１３ｃは、図１４Ｂに示すように、円形の平板状のガラスエポキシ製の回路基板１１３ｄに実装される。回路基板１１３ｄは片面または両面に回路パターンが形成され、その実装面に複数の小形の電子部品１１３ｃが実装されてランプ本体１１１内に配設される。【００６２】
なお、本実施形態において、これら電子部品１１３ｃは、次のようにしてランプ本体１１１内に配設される。すなわち、発熱を伴う部品、例えば、スイッチングトランジスタ１１３ｃ１は、回路基板１１３ｄからリードワイヤにより離間させて、ランプ本体１１１の内底面に密着させて収容する。また、比較的大きなリード部品、例えば、カレントトランス１１３ｃ２は、ランプ本体内の凹嵌部１１１ｅ内に収容する。これにより、発熱を伴うスイッチングトランジスタ１１３ｃ１の熱は、アルミニウムからなるランプ本体１１１から外部に放熱され、温度上昇が抑制される。同時に、大きな部品は凹嵌部１１１ｅ内に収容され、ランプ本体１１１のフラットな薄形構造を形成している。【００６３】
上記に構成された回路基板１１３ｄは、耐熱性および電気絶縁性を有する合成樹脂、本実施例では、ＰＢＴ（ポリブチレンテレフタレート）製の支持脚１１３ｅを介してランプ本体１１１内に、発光部１１２の基板１１２ｂの下方で、かつランプ本体の内底面から所定の間隔を有するようにして配設され支持される。図１４Ｂ中、１１３ｆは遮熱板で、ＰＢＴなどの耐熱性で電気絶縁性を有し、かつ熱絶縁性を有する合成樹脂で円板状に形成され、回路基板１１３ｄの上面中央部に隙間を有するように支持され、発光部１１２の基板１１２ｂと回路基板１１３ｄとの間に介在することによって、基板１１２ｂと回路基板１１３ｄ間の互いの熱的影響を遮断させている。なお、制御装置１１３を構成する回路基板１１３ｄの出力端子と、発光部１１２の基板１１２ｂの入力端子がリード線（図示せず）によって接続される。【００６４】
また、点灯回路１１３ａおよび制御回路１１３ｂは、図１７の回路ブロック図に示すように構成される。すなわち、点灯回路１１３ａは、ＡＣ／ＤＣコンバータ、整流回路や定電流供給回路等からなり、商用電源Ｅの交流電圧１００Ｖを直流電圧２４Ｖに変換して各ＬＥＤ１１２ａに定電流の直流電流を供給する。制御回路１１３ｂは、マイクロコンピュータ等で構成され、外部から伝送された制御信号に基づき、点灯・消灯・調光を行うための制御信号を生成して点灯回路１１３ａに供給する。点灯回路１１３ａは、この制御信号に基づいて発光部１１２のＬＥＤ１１２ａを点灯・消灯・調光を行うように点灯制御する。なお、外部から伝送される制御信号は、本実施形態においては、部屋の壁面等に設置された既存の白熱電球用の調光器１３７を使用者が操作することによって、これら制御信号が信号線Ｓ１を介して制御回路１１３ｂに伝送される。図中１１４はソケット装置１２０を介して商用電源に接続するための電源用口金部材、１１５はソケット装置１２０を介して制御信号を入力するための信号用口金部材である。【００６５】
また、本実施形態における制御装置１１３は、制御回路１１３ｂの入力側に外部の調光器１３７からの制御信号を入力するための信号用口金部材１１５を有しているが、点灯回路１１３ａと制御回路１１３ｂが電源に対して並列に接続されており、信号用口金部材１１５には、信号線を接続しなくても動作させることができる。このため、調光器１３７を設置しない場合は、調光機能を有さない通常の口金付ランプとして作動させることができる。【００６６】
電源用口金部材１１４は、図１４Ｂに示すように、銅や黄銅等の導電性を有する金属、本実施形態では黄銅からなり、円柱状をなす軸部１１４ａと円板状のベース部１１４ｂを有するピン形の一対の口金ピンで構成する。この電源用口金部材１１４は、ＰＢＴなどの耐熱性で電気絶縁性を有する合成樹脂で円板状に形成された支持基板１１４ｃに樹脂成形により一体に埋め込まれて支持されている。電源用口金部材１１４を一体に埋め込んだ支持基板１１４ｃは一対２個が用意され、ランプ本体１１１の環状の支持段部１１１ｄに、係合突起１１１ｆの一側方に隣接して形成された円形の一対の支持孔１１１ｄ１にそれぞれ嵌めこまれ、シリコーン樹脂やエポキシ樹脂等からなる接着剤で固定されている。【００６７】
これにより、図１６に示すように、一対の電源用口金部材１１４−１、１１４−２は、口金付ランプ１１０の係合突起１１１ｆ−２、すなわち、係合手段を間にした一側方に隣接して位置し、ランプ本体１１１の円の軌跡上に配設される。そして、電源用口金部材１１４の一対の円柱状の軸部１１４ａがランプ本体１１１の外底面から外方に突出して設けられると共に、各ベース部１１４ｂが制御装置１１３とリード線ｗ１によって電気的に接続される。なお、本実施形態の電源用口金部材１１４によれば、ピン形の軸部１１４ａの先端部は、図１４Ｂに一点鎖線で示すようにランプ本体１１１から突出していないため、落下等による外部衝撃で口金ピンが変形するリスクが低減し、口金変形による口金付ランプのソケット装置に対する装着不具合を低減させることができる。なお、本構成は後述する信号用口金部材１１５も同様に構成されており、装着不具合を低減させることができる。【００６８】
信号用口金部材１１５は、図１４Ｃに示すように、上記の電源用口金部材１１４と同様の形状・寸法を有する銅や黄銅等の導電性を有する金属、本実施形態では黄銅からなり、円柱状をなす軸部１１５ａと円板状のベース部１１５ｂを有するピン形の一対の口金ピンで構成する。この信号用口金部材１１５は、ＰＢＴなどの耐熱性で電気絶縁性を有する合成樹脂で円板状に形成された支持基板１１５ｃに樹脂成形により一体に埋め込まれて支持されている。信号用口金部材１１５を一体の埋め込んだ支持基板１１５ｃは、一対２個が用意され、ランプ本体１１１の環状の支持段部１１１ｄに、係合突起１１１ｆの他側方に隣接して形成された円形の一対の支持孔１１１ｄ１にそれぞれ嵌めこまれ、シリコーン樹脂やエポキシ樹脂等からなる接着剤で固定されている。【００６９】
これにより、図１６に示すように、一対の信号用口金部材１１５−１、１１５−２は、口金付ランプ１１０の係合突起１１１ｆ−２、すなわち、係合手段を間にした他側方に隣接して位置し、ランプ本体１１１の円の軌跡上に配設される。また、信号用口金部材１１５が配設される円の軌跡は、電源用口金部材１１４の円の軌跡と同一の円の軌跡上に配設され、小形化を阻害しないように構成している。なお、小形化を阻害しない範囲で、異なる円の軌跡上に配設するようにしてもよい。そして、信号用口金部材１１５の一対の円柱状の軸部１１５ａがランプ本体１１１の外底面から外方に突出して設けられると共に、各ベース部１１５ｂが制御装置１１３とリード線（図示せず）によって電気的に接続される。【００７０】
上記により、図１６に示すように、上記電源用口金部材１１４と信号用口金部材１１５が、係合突起１１１ｆ−２（係合手段）を間にして、係合突起１１１ｆ−２の両側方に互いに所定の寸法をもって離間し、かつ隣り合うように位置しランプ本体１１１の円の軌跡上に配設される。これにより、電源用口金部材１１４と制御装置１１３を接続するリード線ｗ１および信号用口金部材１１５と制御装置１１３を接続するリード配線を、係合突起１１１ｆ−１の両側方で集中して１箇所で行うことができ電源線や信号線の配線を簡素化することができ、口金付ランプ１１０の小形化を達成することが可能となる。【００７１】
因みに、電源用口金部材１１４と信号用口金部材１１５が直径方向に対向して位置した場合には、各電線の配線を直径方向に離間した位置で行う必要があり、また各電線をランプ本体１１１内で引き回す必要が生じるため、引き回し用のスペースが必要となる。このため配線作業が複雑になるとともに、ランプ本体の小形化の達成が困難となる。【００７２】
また、同時に、電源用口金部材１１４と信号用口金部材１１５が、係合突起１１１ｆ−２を間にして、係合突起１１１ｆ−２の両側方に互いに所定の寸法をもって離間して位置しているので、信号用のリード線や口金部材１１５が電源用のリード線や口金部材１１４から発生し易いノイズを拾い難くすることが可能になる。【００７３】
本実施形態における電源用口金部材１１４、信号用口金部材１１５および３個の係合突起１１１ｆの角度寸法、すなわち、口金付ランプ１１０側の角度寸法は、次のようにして配設される。すなわち、図１６の口金付ランプ１１０の底面図に示すように、１２０°の角度で均等な間隔を有して形成された係合突起１１１ｆの内の２個の係合突起１１１ｆ―１および係合突起１１１ｆ―２を起点にした中心ｏから直径方向に向かう角度で示すと、係合突起１１１ｆ―１に隣接する一方の電源用口金部材１１４−１の直径方向に向かう角度θ１は４５°、他方（係合突起１１１ｆ―１から離間した他方）の電源用口金部材１１４−２の直径方向に向かう角度θ２は９５°である。【００７４】
また、係合突起１１１ｆ―２に隣接する一方の信号用口金部材１１５−１の直径方向に向かう角度θ１は４５°、他方（係合突起１１１ｆ―２から離間した他方）の信号用口金部材１１５−２の直径方向のなす角度θ２は９５°である。【００７５】
なお、各角度θ１およびθ２は、各係合突起１１１ｆの中心軸線を通る線ａ−ａと、電源用口金部材１１４および信号用口金部材１１５のそれぞれの円柱状をなす軸部１１４ａ、１１５ａの軸心を通る線ｂ−ｂがなす角度である。また、口金付ランプ１１０のソケット装置１２０に対する回動角α１は１５°である。なお、円柱状をなす軸部１１４ａ、１１５ａの直径φ１は約２．５ｍｍ、ランプ本体１１１の支持段部１１１ｄからの突出寸法ｈ１は約６ｍｍ、凹嵌部１１１ｅの外径ｄ１は約６０ｍｍである。上述の角度および寸法は、製造誤差の範囲で±されることが許容される。なお、上記において、一対の電源用口金部材１１４と一対の信号用口金部材１１５の位置関係は、逆にしてもよい。【００７６】
次に、カバー部材１１６は、図１４Ａ、図１４Ｂに示すように、ランプのグローブを構成するもので、透光性を有する透明または光拡散性を有する半透明の部材、本実施形態では乳白色のガラスで構成され、一端部側に開口部１１６ａを設けた扁平な曲面形状に形成されている。開口部１１６ａを囲む縁部は円筒状の側壁部１１６ｂとなるとともに、この開口部に対向する正面は、滑らかな曲面状に形成されている。上記に構成したカバー部材１１６は、ランプ本体１１１の発光部１１２を覆うように対向して設けられ、開口部１１６ａをランプ本体１１１の一端部側の凸条部１１１ｃ内面に所定の重ね代を有して嵌め込み、さらに、シリコーン樹脂やエポキシ樹脂等の接着剤を用いて固定する。上記によりランプ本体１１１の一端部側にカバー部材１１６およびＬＥＤ１１２ａからなる発光部１１２が設けられ、他端部側にピン形の電源用口金部材１１４および信号用口金部材１１５が設けられたフラットな薄形構造の口金付ランプ１１０が構成される。【００７７】
次に、本実施形態におけるソケット装置の構成につき説明する。本実施形態のソケット装置は、上記の口金付ランプ１１０のピン形の電源用口金部材１１４および信号用口金部材１１５が電気的に接続され、照明器具１３０に組み込まれて使用されるソケット装置を構成するもので、図１８Ａ〜図２３に示すように、口金付ランプ１１０が回動操作によって着脱可能に装着される係合手段１２１ａ１を有するソケット本体１２１、係合手段を間にした一側方に隣接して位置しソケット本体１２１の円の軌跡上に配設され口金付ランプ１１０の電源用口金部材１１４が接続される電源用端子部材１２２、係合手段を間にした他側方に隣接して位置しソケット本体１２１の円の軌跡上に配設され、口金付ランプ１１０の信号用口金部材１１５が接続される信号用端子部材１２３で構成する。【００７８】
ソケット本体１２１は、耐熱性・耐候性を有し、電気絶縁性の良好な合成樹脂、本実施形態では、ＰＢＴで構成された横断面の平面形状が略円形で、中央部に貫通した支持孔１２１ａを有したリング状に形成される。支持孔１２１ａの内径寸法ｄ２は、ランプ本体１１１の支持段部１１１ｄの突出部、すなわち、凹嵌部１１１ｅの外周面の直径寸法ｄ１より多少大きく形成する（ｄ１＜ｄ２）。また、支持孔１２１ａの深さ寸法ｈ３は、ランプ本体１１１の支持段部１１１ｄの高さ寸法ｈ２より若干小さくなるように形成する（ｈ２＞ｈ３）。【００７９】
また、ソケット本体１２１の表面側（図１９Ａ中の上面）には、リングの鍔状をなす面の外周部を一体に立ち上げて側壁１２１ｆを形成する。この側壁は、後述する口金付ランプ１１０の電源用口金部材１１４や信号用口金部材１１５の片側のピン形状の軸部１１４ａ、１１５ａが、ソケット装置１２０の電源用端子部材１２２や信号用端子部材１２３に誤って挿入されることによって発生する電撃が生じないようにするための壁面であり、側壁の高さｈ４は、片側の軸部がソケット装置の各端子部材に挿入されないように形成した。本実施形態では、口金部材１１４、１１５の突出寸法ｈ１が約６ｍｍ、側壁の高さｈ４は約５ｍｍに形成した。【００８０】
また、支持孔１２１ａの内周面には、ソケット装置１２０の係合手段１２１ａ１を形成する。係合手段は、口金付ランプ１１０の係合手段１１１ｆと共に、口金付ランプ１１０を回動操作によってソケット装置１２０に対し、着脱可能に装着するための手段で、本実施形態では、ソケット装置１２０の係合手段を支持孔１２１ａの内周面に係合溝１２１ａ１を一体に形成するにより構成した。（以下、ソケット装置の係合手段１２１ａ１を「係合溝１２１ａ１」と称す）。【００８１】
係合溝１２１ａ１は、図１８Ａに示すように、ソケット本体１２１の中心ｏから直径方向に１２０°の角度をもった支持孔１２１ａにおける内周面に対し、均等の間隔を有して同一形状のものが３個形成される。各係合溝１２１ａ１は、図１９Ｂに示すように、支持孔１２１ａの端面に開口する縦溝からなる挿入部１２１ａ２と、挿入部に連続して略水平方向（ランプ本体１１０の回動方向）に形成された横溝からなる係合部１２１ａ３と、Ｌ字形をなす挿入部１２１ａ１と係合部１２１ａ３の境目となる下方の角部、換言すれば、係合溝１２１ａ１の入口となる部分に形成された山形をなす係止突起１２１ａ４からなる。なお、山形をなす係止突起１２１ａ４には、挿入部１２１ａ２から挿入されたランプ本体１１１の係合突起１１１ｆがスライドし当接しながらガイドされ、山形の頂点を越えて係合部１２１ａ３内に導入されるように構成され、山形をなす係止突起１２１ａ４によって、後述するように半掛かりを防止するとともに、係合時に不用意に外れないようにしている。【００８２】
また、ソケット本体１２１の裏面側（図１９Ａ中の下面）には、被設置部、本実施形態では、後述する照明器具１３０の放熱体１３４に対し、ソケット本体１２１を支持するための支持部材１２１ｂが設けられる。この支持部材１２１ｂはソケット本体１２１の中心ｏから直径方向に１２０°の角度をもって、リング状をなすソケット本体１２１の下面に均等の間隔を有して３個が形成され、その内の２個の支持部材１２１ｂは、上記の係合溝１２１ａ１に近接した位置に設けられる。各支持部材１２１ｂは、同一の形状をなし、図２１Ａ、図２１Ｂに示すように、筒状をなすシリンダー１２１ｂ１と、シリンダー内に挿入されるボルト１２１ｂ２と、ボルトに挿通されたコイルスプリング１２１ｂ３からなる。【００８３】
シリンダー１２１ｂ１は、ソケット本体１２１のリングの鍔状をなす面の裏面側に樹脂成形によって一体に立設させて形成し、シリンダー１２１ｂ１の上面の開口端部には、端板１１２ａ４が係止される。この端板に対してボルト１２１ｂ２の先端部が貫通し、ボルトがシリンダー内を上下に移動できるように設けられ、さらに、ボルトの先端がシリンダー１２１ｂ１の上面側から突出される。このボルト１２１ｂ２によって、ソケット装置１２０が被設置部、本実施形態では照明器具１３０の放熱体１３４に支持される。放熱体１３４は、裏面側（図２１Ａ、図２１Ｂ中の下面）にボルト１２１ｂ２をねじ込むためのネジ孔が形成され、このネジ孔に対してボルト１２１ｂ２がねじ込まれソケット装置１２０が放熱体１３４の下面に支持される。【００８４】
上記のように照明器具１３０の放熱体１３４に支持されたソケット装置１２０は、口金付ランプ１１０を装着することによって、ランプ本体１１１の凹嵌部１１１ｅの平坦な外底面が、放熱体１３４の裏面に向かってスプリング１２１ｂ３の弾性力によって押付けられる。すなわち、図２１Ａに示すように、ランプ本体１１１の凹嵌部１１１ｅをソケット装置１２０の支持孔１２１ａに挿入し、ランプ本体１１１の係合突起１１１ｆを、ソケット装置１２０の係合溝１２１ａ１に合わせ、係合突起１１１ｆを挿入部１２１ａ２から挿入し、さらに図中左方に回動させる。これにより係合突起１１１ｆが山形の係止突起１２１ａ４を乗り越え、係合部１２１ａ３内に導入され、口金付ランプ１１０がソケット装置１２０に装着される。このとき、ランプ本体１１１の係合突起１１１ｆの下面によってソケット本体１２１が下方（図中、矢印ａ方向）に押付けられて放熱体１３４の裏面側から離間して隙間ｓが形成される。同時に、この押付けによってソケット本体１２１のスプリング１２１ｂ３が圧縮され、その反発力（図中矢印ｂ方向の力）によってランプ本体１１１が放熱体１３４の裏面に強く押付けられる。これにより、アルミニウムからなるランプ本体の凹嵌部１１１ｅの平坦な外底面と放熱体１３４の裏面とが熱的に密着されて支持され、複数のＬＥＤ１１２ａから発生する熱を効果的外部に放熱させることができ、高輝度・高出力のＬＥＤの使用を可能にした。【００８５】
なお、口金付ランプ１１０をソケット装置１２０から外す場合には、ランプ本体１１１を上記とは逆に回動させ、ランプ本体１１１の係合突起１１１ｆを、ソケット装置１２０の係合部１２１ａ３に沿って移動し挿入部１２１ａ２から引き出し、ランプ本体１１１の凹嵌部１１１ｅをソケット装置１２０の支持孔１２１ａから引き出せばよい。口金付ランプ１１０をソケット装置１２０から外すと、図２１Ｂに示すように、スプリング１２１ｂ３の圧縮が解除されて、元の位置に復帰しソケット本体１２１の上面が放熱体１３４の裏面側に隙間なく支持される。【００８６】
次に、口金付ランプ１１０の電源用口金部材１１４が接続される電源用端子部材１２２は、図１１Ａに示すように、ソケット本体１２１に一体に形成された小さな端子ケース１２２ａと、端子ケース内に収容される端子板１２２ｂで構成される。端子ケース１２２ａは、ソケット本体１２１のリングの鍔状をなす面の裏面側（図２０）に隣接して一対が一体に設けられ、ケース内に端子板１２２ｂを収容するとともに、一端部に電線挿入部１２２ａ１を一体に形成する。【００８７】
端子板１２２ｂは、電源用口金部材１１４の軸部１１４ａが接触して、口金付ランプ１１０に商用電源を供給するための部材で、一定の剛性とバネ性を有し、かつ導電性の良好な金属、例えば、銅、黄銅、リン青銅等、本実施形態では、リン青銅からなる。端子板１２２ｂは、全体を略Ｕ字形状になるように折り曲げることにより形成された二又の端子片１２２ｂ１と、端子片の先端部分を互いに対向する方向に略「く」の字に折り曲げて形成した接触部１２２ｂ２と、Ｕ字の底辺部に形成した係止片１２２ｂ３とを有し、ネジレスのＳＬ端子として構成する。【００８８】
上記に構成された端子板１２２ｂは、ソケット本体１２１のリングの鍔状をなす面の裏面側（図２０）に、係合溝１２１ａ１−１の一側方に隣接して一体に形成された端子ケース１２２ａ内に嵌めこまれる。端子ケース１２２ａは、リング状をなすソケット本体１２１に沿って形成された円弧状をなす凹部で構成され、電線挿入部１２２ａ１と、ソケット本体１２１の表面側（図１９Ａ）に開口する長孔１２２ａ２と、裏面側の開口を塞ぐ蓋体１２２ａ３からなる。【００８９】
長孔１２２ａ２は、両端に半円形の開口を有する円弧状をなす形状に形成され、細長の小さな端子板１２２ｂが長孔から落下しないように形成される。また、幅寸法は、口金付ランプ１１０における電源用口金部材１１４の円柱状の軸部１１４ａが挿入し移動できる寸法に形成する。また、蓋体１２２ａ３は、端子ケース１２２ａの裏面側の開口を塞ぐとともに、電線挿入部１２２ａ１側に位置する上面に電線ガイド片１２２ａ４を一体に形成する。【００９０】
上記に構成された端子ケース１２２ａおよび端子板１２２ｂは、同一構成のものが一対ずつ用意され、各端子板１２２ｂが長孔１２２ａ２に面するようにして各端子ケース１２２ａ内に収容される。そして、端子ケース１２２ａの裏面側の開口が蓋体１２２ａ３によって閉塞され、シリコーン樹脂やエポキシ樹脂等からなる接着剤で固定される。これにより、図２０に示すように、一対の電源用端子部材１２２−１、１２２−２は、ソケット装置１２０の係合溝１２１ａ１−１、すなわち、係合手段を間にした一側方に隣接して位置し、ソケット本体１２１の円の軌跡上に配設される。【００９１】
次に、口金付ランプの信号用口金部材１１５が接続される信号用端子部材１２３は、電源用端子部材１１４と同様に構成されており、端子ケース１２３ａおよび端子板１２３ｂの構成は、図２２Ａ、図２２Ｂに信号用端子部材１２３における各構成部品の符合を()内に表示して詳細な説明は省略した。【００９２】
上記構成により、口金付ランプ１１０の信号用口金部材１１５が接続される信号用端子部材１２３は、ソケット本体１２１のリングの鍔状をなす面に隣接して設けられる一対の端子ケース１２３ａと、端子ケースに収容される端子板１２３ｂからなり、一対の信号用端子部材１２３−１、１２３−２は、ソケット装置１２０の係合溝１２１ａ１−１、すなわち、係合手段を間にした他側方に隣接して位置し、ソケット本体１２１の円の軌跡上に配設される。また、信号用端子部材１２３が配設される円の軌跡は、電源用端子部材１２２の円の軌跡と同一の円の軌跡上に配設され、小形化を阻害しないように構成している。なお、小形化を阻害しない範囲で、異なる円の軌跡上に配設するようにしてもよい。【００９３】
上記により、図２０に示すように、電源用端子部材１２２と信号用端子部材１２３が、係合溝１２１ａ１−１（係合手段）を間にして、係合溝１２１ａ１−１の両側方に互いに所定の寸法をもって離間し、かつ隣り合うように位置してソケット本体１２１の円の軌跡上に配設される。【００９４】
本実施形態における電源用端子部材１２２、信号用端子部材１２３および３個の係合溝１２１ａ１の角度寸法、すなわち、ソケット装置１２０側の角度寸法は、次のようにして配設される。すなわち、図１８Ａのソケット装置の表面図に示すように、１２０°の角度で均等な間隔を有して形成された係合溝１２１ａ１の内の２個の係合溝１２１ａ１−１および係合突起１２１ａ１−２を起点にした中心ｏから直径方向に向かう角度で示すと、係合溝１２１ａ１−１に隣接する一方の電源用端子部材１２２−１の直径方向に向かう角度θ３は２５°、他方（係合溝１２１ａ１−１から離間した他方）の電源用端子部材１２２−２の直径方向に向かう角度θ４は７５°である。【００９５】
また、係合溝１２１ａ１―２に隣接する一方の信号用端子部材１２３−１の直径方向に向かう角度θ３は２５°、他方（係合溝１２１ａ１−２から離間した他方）の信号用端子部材１２３−２の直径方向に向かう角度θ４は７５°である。【００９６】
なお、各角度θ３およびθ４は、係合溝１２１ａ１の挿入部１２１ａ２の中心軸線を通る線ｃ−ｃと、電源用端子部材１２２および信号用端子部材１２３のそれぞれの長孔１２２ａ２、１２３ａ２における挿入側（口金付ランプ１１０のピン形の軸部１１４ａ、１１５ａが最初に挿入される部分）の各半円形部分の中心を通る線ｄ−ｄがなす角度である。また、口金付ランプ１１０のソケット装置１２０に対する回動角α１は１５°である。なお、支持孔１２１ａの内径寸法ｄ２は約６５．５ｍｍである。上述の角度および寸法は、製造誤差の範囲で±されることが許容される。なお、上記において、一対の電源用端部材１２２と一対の信号用端子部材１２３の位置関係は、逆にしてもよい。【００９７】
また、上記に構成された電源用端子部材１２２に対し電源用の電線ｗ３が接続され、信号用端子部材１２３に信号用の電線ｗ４が接続される。図２０に示すように、電源用の電線ｗ３は、係合溝１２１ａ１−１に隣接する一方の電源用端子部材１２２−１に接続された電源用の電線ｗ３−１が電線挿通部１２２ａ１から引き出され、他方（係合溝１２１ａ１−１から離間した他方）の電源用端子部材１２２−２の上面、すなわち、蓋体１２２ａ３の上面に沿って導出され、さらに電線ガイド片１２２ａ４にガイドされるとともに、電線ガイド片１２２ａ４とソケット本体１２１の側壁との間に挟持されて抜け止めがなされて引き出される。また、他方（係合溝１２１ａ１−１から離間した他方）の電源用端子部材１２２−２に接続された電源用の電線ｗ３−２は、電線挿通部１２２ａ１から引き出され、先に引き出された電源用の電線ｗ３−１とともに上下に重ね束ねられて引き出される。【００９８】
この各電源用電線ｗ３−１、ｗ３−２は、電源用端子部材１２２−２の上面に沿って導出され、また電線ガイド片１２２ａ４によって上下に重ね束ねられることから、リング状をなすソケット本体１２１のリングの鍔状をなす面の裏面側の幅寸法内に収められ、電源用の電線がソケット装置の外周面から飛び出すことなくコンパクトに配線され、引き出された電源用電線を隠すためにソケット本体の外径寸法を大きくする必要がなくなり、ソケット装置１２０の小形化を達成することができる。【００９９】
信号用の電線ｗ４は、電源用の電線ｗ３と同様に接続される。すなわち、係合溝１２１ａ１−２に隣接する一方の信号用端子部材１２３−１に接続された信号用の電線ｗ４−１が電線挿通部１２３ａ１から引き出され、他方（係合溝１２１ａ１−２から離間した他方）の信号用端子部材１２３−２の上面、すなわち、蓋体１２３ａ３の上面に沿って導出され、さらに電線ガイド片１２３ａ４にガイドされるとともに、電線ガイド片１２２ａ４とソケット本体の側壁との間に挟持されて抜け止めがなされて引き出される。また、他方（係合溝１２１ａ１−２から離間した他方）の信号用端子部材１２３−２に接続された信号用の電線ｗ４−２は、電線挿通部１２３ａ１から引き出され、先に引き出された信号用の電線ｗ４−１とともに上下に重ね束ねられて引き出される。【０１００】
この各信号用の電線ｗ４−１、ｗ４−２も、信号用端子部材１２３−２の上面に沿って導出され、また電線ガイド片１２２ａ４によって上下に重ね束ねられることから、リング状をなすソケット本体１２１のリングの鍔状をなす面の裏面側の幅寸法内に収められ、信号用電線がソケット装置の外周面から飛び出すことなくコンパクトに配線され、ソケット装置１２０の小形化を達成することができる。【０１０１】
なお、各電線ｗ３、ｗ４は、先端の絶縁被覆が剥がされ、各端子ケース１２２ａ、１２３ａの電線挿通部１２２ａ１、１２３ａ１に差し込むことによってＳＬ端子の係止片１２２ｂ３、１２３ｂ３に係止されて接続される。また、ソケット装置１２０から引き出された各電線ｗ３、ｗ４は、後述する照明器具１３０の端子台１３５、１３６に接続される。【０１０２】
また、図２０に示すように、上述した電源用の電線ｗ３および信号用の電線ｗ４の配線は、電源用端子部材１２２と信号用端子部材１２３が、係合溝１２１ａ１−１（係合手段）を間にして、係合溝１２１ａ１−１の両側方に互いに所定の寸法をもって離間し、かつ隣り合うように位置しソケット本体１２１の円の軌跡上に配設される。これにより、電源用の電線ｗ３および信号用の電線ｗ４の配線を、係合溝１２１ａ１−１の両側方で集中して１箇所で行うことができ配線を簡素化することができ、口金付ランプ１１０の小形化を達成することが可能となる。【０１０３】
因みに、電源用端子部材１２２と信号用端子部材１２３が直径方向に対向して位置した場合には、各電線ｗ３、ｗ４の配線を直径方向に離間した位置で行う必要があり、また各電線をソケット本体１２１内で引き回す必要が生じるため、引き回し用のスペースが必要となる。このため配線作業が複雑になるとともに、ソケット本体の小形化の達成が困難となる。【０１０４】
また、同時に、電源用端子部材１２２と信号用端子部材１２３が、係合溝１２１ａ１−１（係合手段）を間にして、係合溝１２１ａ１−１の両側方に互いに所定の寸法をもって離間して位置しているので、信号用の電線ｗ４や信号用端子部材１２２が、電源用の電線ｗ３や電源用端子部材１２３から発生し易いノイズを拾い難くすることが可能になる。【０１０５】
上記のように、電源用端子部材１２２および信号用端子部材１２３が構成されることにより、図２３に示すように、口金付ランプ１１０の凹嵌部１１１ｅを、ソケット装置１２０の支持孔１２１ａ内に挿入し、図２４Ａ、図２４Ｂに示すように、ソケット本体１２１の中心点ｏを中心にして、口金付ランプ１１０を角度α１、本実施形態では１５°の角度、図中の矢印方向に回動させる。これにより、口金付ランプ１１０の電源用口金部材１１４が、電源用端子部材１２２の長孔１２２ａ２から挿入されて端子板１２２ｂに移動、同時に、信号用口金部材１１５が、信号用端子部材１２３の長孔１２３ａ２から挿入されて端子板１２３ｂに移動する。そして、図２１Ａ、図２１Ｂに示すように、電源用口金部材１１４および信号用口金部材１１５の円柱状の軸部１１４ａ、１１５ａが、それぞれ二又の端子片１２２ｂ１、１２３ｂ１に挿入され、さらに端子板の互いに対向する「く」の字の接触部１２２ｂ２、１２３ｂ２を乗り越えた位置で停止し、この状態で軸部１１４ａ、１１５ａの両側部と二又の接触部１２２ｂ２、１２３ｂ２がともに接触して電源部と信号部の電気接続が同時になされる。この接触位置は、図２１Ａに示すように、ランプ本体１１１の係合突起１１１ｆがソケット本体１２１における係合溝１２１ａ１の係合部１２１ａ３の終端に当接し係合することによってなされる。【０１０６】
上記により口金付ランプ１１０とソケット装置１２０の電気接続が行われると同時に、機械的な保持、すなわち、口金付ランプ１１０がソケット装置１２０に対し装着される。この際、口金付ランプ１１０をソケット装置１２０に対し着脱が可能に装着するため係合手段（係合突起１１１ｆと係合溝１２１ａ１）と、電気的な接続との関係は次のようにして行われることにより、口金付ランプ１１０をソケット装置１２０に装着する際の半掛かり状態を回避している。【０１０７】
すなわち、図２１Ａに示すように、電気的な接続、すなわち、電源用口金部材１１４の軸部１１４ａと端子板１２２ｂの接触および信号用口金部材１１５の軸部１１５ａと端子板１２３ｂの接触は、係合突起１１１ｆが係合溝１２１ａ１の山形の係止突起１２１ａ４を乗り越えてからなされるように構成している。このため、使用者は回動操作の途中において、係合突起１１１ｆが係止突起１２１ａ４を乗り越える際に回動操作に対し抵抗を受けるため、係合がなされたと勘違いし回動操作を止めてしまう虞がある。しかし、そのときには、まだ電気接続がなされていないためランプは点灯しない。このため、使用者は、まだ係合が完全になされないと理解し、最後まで回動操作を行うことになる。この結果、回動操作が途中で停止することが防止され、係合手段における半掛かり状態（係止突起１１１ｆが山形の係止突起１２１ａ４を乗り越える前の状態）を回避することが可能になる。これにより、口金付ランプ１１０をソケット装置１２０に対し確実に装着することができる。【０１０８】
また、回動操作において、円滑な操作を行えるようにすることによって、ワンタッチ操作による簡単な操作を実現するとともに、係合手段の半掛かり状態および電気接続の半接触状態を回避している。すなわち、回動操作における抵抗は、係合突起１１１ｆが係止突起１２１ａ４を乗り越える際に受ける抵抗と、軸部１１４ａ、１１５ａが端子板１２２ｂ、１２３ｂの互いに対向する「く」の字の接触部１２２ｂ２、１２３ｂ２を乗り越える際に受ける抵抗の２段階で受けることになる。このため、使用者は回動操作の途中において、この２段の抵抗を受けることによって、係合がなされたと２回において勘違いし回動操作を止めてしまう虞がある。特に２回目の抵抗は、電気的な接触を行うための抵抗であり、これを勘違いして回動操作を止めると半接触状態（軸部１１４ａ、１１５ａが端子板１２２ｂ、１２３ｂの互いに対向する「く」の字の接触部１２２ｂ２、１２３ｂ２を乗り越える前の状態）になる虞がある。【０１０９】
本実施形態では、これらを防止するために、係合突起１１１ｆが係止突起１２１ａ４を乗り越える際に受ける１回目の抵抗に対して、軸部１１４ａ、１１５ａが互いに対向する「く」の字の接触部を乗り越える際に受ける２回目の抵抗を小さくするように構成した。具体的には、１回目の抵抗を１００％とした場合に、２回目の抵抗が約７０％以下になるように設定した。【０１１０】
これにより、回動操作においては、１回目の抵抗に抗する回動力と回転の慣性によって、２回目の抵抗を簡単に乗り越えることができ、１回目の抵抗のみを受けることで回動操作を行えることができ、ワンタッチ操作による回動操作を実現させた。同時に、２回目の抵抗は簡単に乗り越えることができるので、一気に軸部１１４ａ、１１５ａが互いに対向する「く」の字の接触部１２２ｂ２、１２３ｂ２を乗り越えることができ、電気的な半接触状態を確実に回避することが可能になる。【０１１１】
また、回動操作の停止は、係合突起１１１ｆが係合溝１２１ａ１の係合部１２１ａ３の終端に当接することによってなされ、この当接の際に、アルミニウムからなる係合突起１１１ｆと合成樹脂からなる係合溝１２１ａ１が当たることによって「カッチ」と金属性の音が発生する。これにより、係合手段が係合された状態、すなわち、口金付ランプ１１０がソケット装置１２０に対して完全に装着された状態を、使用者にわかり易く音で知らせることが可能なる。【０１１２】
次に、上記に構成された口金付ランプ１１０とソケット装置１２０からなる照明器具の構成につき説明する。図２５Ａ、図２５Ｂに示すように、１３０は店舗等の天井面Ｘに埋め込み設置される小形のダウンライト式の照明器具で、下面に開口部１３１を有する金属製の箱状をなした器具本体１３２と、開口部１３１に嵌合される金属製の反射体１３３と、反射体１３３の上面に設けられた放熱体１３４からなり、放熱体１３４裏面の略中央部に上記構成のソケット装置１２０が設置される。反射体１３３は、熱伝導性の良好な金属、例えば、ステンレス等の金属板で構成し、その上面を放熱体１３４の側面に取り付けて構成する。【０１１３】
放熱体１３４は、ヒートシンクとしての作用をなすもので、熱伝導性の良好な金属、本実施形態では、肉厚のアルミニウムからなるブロックで構成され、外周部に多数の放熱フィン１３４ａが一体に形成されている。また、放熱体１３４は、その裏面側（図２５Ａ、図２５Ｂの下面）にソケット装置１２０を取り付けるためのネジ孔が形成され、このネジ孔に対してソケット装置１２０のボルト１２１ｂ２がねじ込まれることによって支持される（図２１Ａ、図２１Ｂ）。また、放熱体１３４の側面を一部切り欠いて、端子台を設置する設置部１３４ｂを一体に形成する。端子台は電源用端子台１３５と信号用端子台１３６からなる。送り配線用の端子台をさらに設けるように構成してもよい。【０１１４】
また、電源用端子台１３５の出力端子にソケット装置１２０から引き出された電源用の電線ｗ３が接続され、入力端子に屋内に配線されたＦケーブルＦ１が接続される。また、信号用端子台１３６の出力端子にソケット装置１２０から引き出された信号用の電線ｗ４が接続され、入力端子に信号線Ｓ１が接続される。【０１１５】
図１７に示すように、Ｆケーブルは商用電源Ｅに接続され、電源用口金部材１１４がソケット装置１２０の電源用端子部材１２２に接続されると、電源用端子部材１２２から電源用口金部材１１４を介して口金付ランプ１１０に電源が供給される。また、信号線Ｓ１は調光器１３７に接続され、信号用口金部材１１５がソケット装置１２０の信号用端子部材１２３に接続されると、信号用端子部材１２３から信号用口金部材１１５を介して口金付ランプ１１０に調光器１３７からの制御信号が伝送される。調光器１３７は、既存の白熱電球用に用いられる調光器で、部屋の壁面に設置されて使用者が操作できるようにする。なお、各電線ｗ３、ｗ４は、放熱体１３４に形成された電線導出孔１３８から引き出される。【０１１６】
上記に構成された照明器具１３０において、上述したＬＥＤを光源とし、ピン形の電源用口金部材１１４および信号用口金部材１１５が設けられたフラットな薄型構造の口金付ランプ１１０をソケット装置１２０に装着する。その装着は、図２３、図２４Ａ、図２４Ｂに示すように、口金付ランプ１１０の一対の電源用口金部材１１４をソケット装置１２０の長孔１２２ａ２に、一対の信号用口金部材１１５をソケット装置１２０の長孔１２３ａ２にそれぞれ対向させ、それぞれの軸部１１４ａ、１１５ａを長孔１２２ａ２、１２３ａ２に挿入する。同時に、口金付ランプ１１０の３個の係合突起１１１ｆをソケット装置１２０の３個の係合溝１２１ａ１にそれぞれ対向させて、それぞれの挿入部１２１ａ２に挿入する。【０１１７】
この際、ソケット装置１２０の表面側に側壁１２１ｆを形成したので、口金付ランプ１１０の電源用口金部材１１４や信号用口金部材１１５の片側のピン（軸部１１４ａ、１１５ａ）が、ソケット装置１２０の電源用端子部材１２２や信号用端子部材１２３に誤って挿入されることがなく、電撃の発生が防止される。【０１１８】
そして、口金付ランプ１１０を、図中矢印の方向に角度１５°だけ回動させる。これにより、図２１Ａに示すように、電源用口金部材１１４および信号用口金部材１１５の軸部１１４ａ、１１５ａが二又の端子片１２２ｂ１、１２３ｂ１にそれぞれ挿入され、さらに端子片の互いに対向する「く」の字の接触部１２２ｂ２、１２３ｂ２を乗り越えた位置で停止し、この状態で軸部１１４ａ、１１５ａの両側部と二又の接触部１２２ｂ２、１２３ｂ２がともに接触して電気接続がなされる。同時に、ソケット装置１２０における係合溝１２１ａ１の挿入部１１２ａ２から挿入された口金付ランプ１１０の係合突起１１１ｆが、山形の係止突起１２１ａ４に対しスライドし当接しながらガイドされ、山形の頂点を越えて係合部１２１ａ３内に導入され、係合部１２１ａ３の終端に当接する。【０１１９】
このとき、電気的な接続は、係合突起１１１ｆが係合溝１２１ａ１の山形の係止突起１２１ａ４を乗り越えてからなされるように構成しているので、使用者は回動操作の途中において、係合突起１１１ｆが係止突起１２１ａ４を乗り越える際に抵抗を受け、係合がなされたと勘違する虞があるが、そのときには、まだ電気接続がなされていないためランプは点灯しない。このため、使用者は、まだ係合が完全になされないと理解し、最後まで回動操作を行い半掛かり状態が回避される。【０１２０】
また、係合突起１１１ｆが係合部１２１ａ３の終端に当接すると、「カッチ」と音がするので、使用者は、口金付ランプ１１０がソケット装置１２０に完全に係合されたことがわかり、係合が半掛かり状態になったり、電気接続が半接触状態になることが、さらに防止される。これにより、口金付ランプ１１０とソケット装置１２０の電気接続が行われると同時に、口金付ランプ１１０がソケット装置１２０に対し装着される。なお、逆方向に回動させることによってソケット装置１２０から口金付ランプ１１０を取り外すことができる。【０１２１】
上記のように係合手段によって口金付ランプ１１０をソケット装置１２０に装着すると、図２１Ａに示すように、ランプ本体１１１の係合突起１１１ｆの下面によってソケット本体１２１が下方に押付けられ、ソケット本体１２１のスプリング１２１ｂ３が圧縮され、その反発力によってランプ本体１１１が放熱体１３４の裏面に強く押付けられる。上記により、ＬＥＤを光源としたフラットな薄型構造の口金付ランプ１１０を光源としたダウンライト形の照明器具１３０が構成される。【０１２２】
この状態で電源を投入すると、ソケット装置１２０の電源用端子部材１２２から口金付ランプ１１０の電源用口金部材１１４を介して電源が供給され、制御装置１１３の点灯回路１１３ａが動作し２４Ｖの直流電圧が出力される。この直流電圧は制御装置１１３から各ＬＥＤ１１２ａに印加され、定電流の直流電流が供給されて全てのＬＥＤが同時に点灯する。各ＬＥＤ１１２ａから放射された白色の光は、カバー部材１１６の内面全体に向かって略均等に放射され、さらに乳白色のグローブで光が拡散され所定の配光特性をもった照明を行うことができる。【０１２３】
また、使用者が壁面に設置された調光器１３７を操作することによって、制御信号が、ソケット装置１２０の信号用端子部材１２３から口金付ランプ１１０の信号用口金部材１１５を介して制御回路１１３ｂに伝送され、制御回路によって必要な調光信号が生成されて点灯回路１１３ａに供給される。点灯回路１１３ａはこの調光信号に基づいて各ＬＥＤ１１２ａを調光しながら点灯させる。この際、口金付ランプ１１０およびソケット装置１２０が、電源側で発生し易いノイズを拾い難くしているので、安定した正確な調光制御を行うことができる。【０１２４】
上記により口金付ランプ１１０が点灯されると、ＬＥＤ１１２ａの温度が上昇し熱が発生する。その熱は、図１４Ｂに示すように、熱伝導性の良好なアルミニウムからなる基板１１２ｂから、基板が直接密着して固定された基板支持部１１１ｂに伝達され、アルミニウムからなるランプ本体１１１の凹嵌部１１１ｅの平坦な外底面に伝達され、放熱体１３４を介して外部に放熱される。このとき、ランプ本体１１１の凹嵌部１１１ｅの外底面と放熱体１３４の裏面とがスプリング１２１ｂ３によって熱的に密着されて支持されているので、効果的に外部に放熱させることができる。【０１２５】
また、制御装置１１３の電子部品１１３ｃから発生する熱、特に発熱を伴うスイッチングトランジスタ１１３ｃ１から発生する熱も、スイッチングトランジスタが密着されて収容されたランプ本体１１１の内底面から凹嵌部１１１ｅに伝達され、放熱体１３４を介して外部に効果的に放熱される。これら効果的な放熱作用によりＬＥＤ１１２ａの温度上昇および制御装置１１３における電子部品１１３ｃの温度上昇が抑制され信頼性が向上する。【０１２６】
以上、本実施形態のソケット装置１２０によれば、口金付ランプの口金部材が接続される端子部材は、ソケット本体のリングの鍔状をなす面に隣接して設けられる一対の端子ケースと、端子ケースに収容される端子板からなり、端子部材に接続される電線は、隣接する端子ケースの上面に沿って導出されるので、配線を簡素化し小形化を達成することが可能になる。【０１２７】
また、本実施形態によれば、端子部材が口金付ランプの電源用口金部材に接続される電源用端端子部材と、口金付ランプの信号用口金部材に接続される信号用端子部材からなり、各端子部材に接続される電線がともに、隣接する端子ケースの上面に沿って導出されるようにしたので、電源用の電線および信号用の各電線が端子ケースの上面に沿って導出され、また電線ガイド片によって上下に重ね束ねられることから、リング状をなすソケット本体１２１のリングの鍔状をなす面の幅寸法内に収められ、各電線がソケット装置の外周面から飛び出すことなくコンパクトに配線され、引き出された各電線を隠すためにソケット本体の外径寸法を大きくする必要がなくなり、ソケット装置１２０の小形化を達成することが可能になる。【０１２８】
また、本実施形態のソケット装置１２０によれば、口金付ランプが回動操作によって着脱可能に装着されるソケット本体を具備し、端子部材は、ソケット本体に配設され口金付ランプの口金部材が電気的に接続され、係合手段は、端子部材の口金付ランプに対する電気接続時に口金付ランプと機械的に係合し、係合動作が終了してから端子部材の電気接続がなされるようにしたので、ランプの半掛かり状態を回避することが可能になる。【０１２９】
また、係合手段は、係合突起と係合突起が係合する係合溝からなり、係合溝の入口に係合突起が乗り越えることが可能な係止突起を形成し、係合突起が係止突起を乗り越えてから端子部材の電気接続がなされるようにしたので、簡単な構成によりランプの半掛かり状態を回避することが可能になる。【０１３０】
以上、本実施形態において、ソケット装置は、例えば、スポットライトのように、単体のソケット装置に対し、口金付ランプを装着して照明器具を構成することができるような独立したソケット装置であっても、ダウンライトのように、ソケット装置を器具本体や反射板に対して取り付け、この器具に組み込まれたソケット装置に口金付ランプを装着し照明器具を構成するような器具組み込み形のソケット装置であってもよい。【０１３１】
ソケット本体は、合成樹脂で構成したが、発光部や制御装置の放熱性をより高めるために熱伝導性の良好な金属、例えば、アルミニウム（Ａｌ）、銅（Ｃｕ）、鉄（Ｆｅ）、ニッケル（Ｎｉ）の少なくとも一種を含む金属や、窒化アルミニウム（ＡｌＮ）等からなるセラミックス、シリコンカーバイト（ＳｉＣ）などの工業材料で構成してもよい。外観形状は、フラットな薄形構造の口金付ランプを装着するために、平面が略円形で皿形をなすように構成することが好ましいが、平面が三角形、四角形、六角形などの多角形状、さらには楕円形状等をなすものであってもよい。【０１３２】
口金付ランプとソケット装置を着脱が可能に装着する係合手段は、口金付ランプに係合突起形成し、ソケット装置に係合溝を形成したが、逆に、口金付ランプに係合溝を形成し、ソケット装置に係合突起を形成してもよい。【０１３３】
口金付ランプの口金部材およびソケット装置の端子部材を、係合手段を間にした両側方に位置して設けたが、口金部材および端子部材が設けられていないスペースを利用してアース用の口金部材およびアース用の端子部材を設けるように構成してもよい。【０１３４】
照明器具は、天井埋込形、直付形、吊下形、さらには壁面取付形等が許容され、器具本体に制光体としてグローブ、セード、反射体などが取付けられるものであっても光源となる口金付ランプが露出するものであってもよい。また、器具本体に１個の口金付ランプを取付けたものに限らず、複数個が配設されるものであってもよい。さらに、オフィス等、施設・業務用の大型の照明器具などを構成してもよい。【０１３５】
以上、本発明の好適な実施形態を説明したが、本発明は上述の実施形態に限定されることなく、本発明の要旨を逸脱しない範囲内において、種々の設計変更を行うことができる。【０１３６】
本出願は、２０１０年７月５日に日本国に出願された特願２０１０−１５３４３８号、２０１０年７月５日に日本国に出願された特願２０１０−１５３０５２号、２０１０年７月５日に日本国に出願された特願２０１０−１５３０８２号を優先権主張の基礎として出願するものであり、上記の開示内容は、本願明細書、請求の範囲に引用されるものとする。
【図１】
2012005244.tif 000003
【図２】
2012005244.tif 000004
【図３】
2012005244.tif 000005
【図４】
2012005244.tif 000006
【図５】
2012005244.tif 000007
【図６】
2012005244.tif 000008
【図７】
2012005244.tif 000009
【図８】
2012005244.tif 000010
【図９Ａ】
2012005244.tif 000011
【図９Ｂ】
2012005244.tif 000012
【図１０Ａ】
2012005244.tif 000013
【図１０Ｂ】
2012005244.tif 000014
【図１１】
2012005244.tif 000015
【図１２】
2012005244.tif 000016
【図１３Ａ】
2012005244.tif 000017
【図１３Ｂ】
2012005244.tif 000018
【図１４Ａ】
2012005244.tif 000019
【図１４Ｂ】
2012005244.tif 000020
【図１４Ｃ】
2012005244.tif 000021
【図１５】
2012005244.tif 000022
【図１６】
2012005244.tif 000023
【図１７】
2012005244.tif 000024
【図１８Ａ】
2012005244.tif 000025
【図１８Ｂ】
2012005244.tif 000026
【図１９Ａ】
2012005244.tif 000027
【図１９Ｂ】
2012005244.tif 000028
【図２０】
2012005244.tif 000029
【図２１Ａ】
2012005244.tif 000030
【図２１Ｂ】
2012005244.tif 000031
【図２２Ａ】
2012005244.tif 000032
【図２２Ｂ】
2012005244.tif 000033
【図２３】
2012005244.tif 000034
【図２４Ａ】
2012005244.tif 000035
【図２４Ｂ】
2012005244.tif 000036
【図２５Ａ】
2012005244.tif 000037
【図２５Ｂ】
2012005244.tif 000038
【手続補正書】
【提出日】平成25年4月1日(2013.4.1)
【手続補正１】
【補正対象書類名】明細書
【補正対象項目名】０１２７
【補正方法】変更
【補正の内容】
【０１２７】
また、本実施形態によれば、端子部材が口金付ランプの電源用口金部材に接続される電源用端子部材と、口金付ランプの信号用口金部材に接続される信号用端子部材からなり、各端子部材に接続される電線がともに、隣接する端子ケースの上面に沿って導出されるようにしたので、電源用の電線および信号用の各電線が端子ケースの上面に沿って導出され、また電線ガイド片によって上下に重ね束ねられることから、リング状をなすソケット本体１２１のリングの鍔状をなす面の幅寸法内に収められ、各電線がソケット装置の外周面から飛び出すことなくコンパクトに配線され、引き出された各電線を隠すためにソケット本体の外径寸法を大きくする必要がなくなり、ソケット装置１２０の小形化を達成することが可能になる。
【手続補正２】
【補正対象書類名】特許請求の範囲
【補正対象項目名】全文
【補正方法】変更
【補正の内容】
【特許請求の範囲】
【請求項１】
ランプユニットから突出する口金を受容する口金受容部と；
前記口金受容部の内周面において周方向に延在され、前記口金が前記口金受容部に受容されて当該口金受容部と相対回転された際に、前記口金の外周面から突出する係合用突起を終端部に係止するキー溝と；
前記係合用突起とは独立して前記ランプユニットから前記口金の回転軸方向にそれぞれ突出する電源用及び接地用の各端子ピンをそれぞれ収容して電気接続する各収容部と；を具備したことを特徴とするソケット。
【請求項２】
前記各収容部を、前記口金受容部が開口するソケット本体に形成されたリング状の外向フランジ部に設けられた端子部材で構成したことを特徴とする請求項１記載のソケット。
【請求項３】
前記電源用の端子ピンを収容する前記収容部を、前記口金受容部が開口するソケット本体に形成されたリング状の外向フランジ部に設けられた端子部材で構成し；
前記接地用の端子ピンを収容する前記収容部は、前記口金受容部であることを特徴とする請求項１記載のソケット。
【請求項４】
前記電源用の端子ピンを収容する前記収容部と、前記係合用突起とは独立して前記ランプユニットから前記口金の回転軸方向に突出する信号用の端子ピンを収容して電気的に接続する収容部とを、前記口金受容部が開口するソケット本体に形成されたリング状の外向フランジ部に設けられた端子部材で構成し；
前記端子部材は、前記外向フランジ部に設けられる端子ケースと、前記端子ケースに収容され前記端子ピンが接続される端子板とを有し；
前記端子部材に接続された電線が、前記外向フランジ部において隣接する他の前記端子部材の前記端子ケースの上面に沿って導出されることを特徴とする請求項１記載のソケット。
【請求項５】
前記電線は、前記端子ケースから突出する電線ガイド片と、前記口金受容部の外周面を形成する前記ソケット本体の側壁との間に挟持されていることを特徴とする請求項４記載のソケット。
【請求項６】
少なくとも前記電源用の端子ピンを収容する前記収容部は、前記口金の係合用突起が前記キー溝の終端部に係止する係合動作が終了してから前記端子ピンと電気接続することを特徴とする請求項１記載のソケット。
【請求項７】
前記キー溝の入口に前記係合用突起が乗り越えることが可能な係止突起を形成し、前記係合用突起は前記係止突起を乗り越えてから前記収容部の電気接続がなされるようにしたことを特徴とする請求項６記載のソケット。
【請求項８】
請求項１乃至請求項７の何れか１項に記載のソケットと；
前記ソケットを支持する装置本体と；を具備したことを特徴とするソケットアセンブリ。
【請求項９】
前記装置本体は、前記ソケットを押圧方向の付勢力を有して弾性的に支持するとともに、ランプユニットの口金の外周面から突出する係合用突起が前記キー溝の終端部に係止された際に当該口金の突端部が前記ソケットの付勢力によって弾性的に押し当てられる放熱体を具備することを特徴とする請求項８記載のソケットアセンブリ。
【請求項１０】
請求項１乃至請求項７の何れか１項に記載のソケットと；
前記ソケットを支持する装置本体と；
前記ソケットの口金受容部内に係止される口金を有するランプユニットと；を具備することを特徴とする照明装置。
【手続補正３】
【補正対象書類名】図面
【補正対象項目名】図５
【補正方法】変更
【補正の内容】
【図５】
2012005244.tif 000039
【手続補正４】
【補正対象書類名】図面
【補正対象項目名】図１６
【補正方法】変更
【補正の内容】
【図１６】
2012005244.tif 000040
【国際調査報告】
2012005244.tif 000041
2012005244.tif 000042
2012005244.tif 000043
2012005244.tif 000044